(57)【要約】      （修正有）【課題】自己分散型顔料を含むインクジェット記録用水性インクであって、耐擦性に優れるインクジェット記録用水性インクを提供する。【解決手段】着色剤、水および水溶性有機溶剤を含むインクジェット記録用水性インクであって、前記着色剤が、自己分散型顔料を含み、前記水性インクが、さらに、化学式（１）で表されるリン脂質化合物を含み、前記リン脂質化合物の固形分配合量が、前記水性インク全量に対して、０．２重量％〜１．３重量％であることを特徴とする。2011178860.tif 000008【選択図】なし【特許請求の範囲】
【請求項１】
着色剤、水および水溶性有機溶剤を含むインクジェット記録用水性インクであって、
前記着色剤が、自己分散型顔料を含み、
前記水性インクが、さらに、化学式（１）で表されるリン脂質化合物を含み、
前記リン脂質化合物の固形分配合量が、前記水性インク全量に対して、０．２重量％〜１．３重量％であることを特徴とするインクジェット記録用水性インク。
【化１】
2011178860.tif 000006
化学式（１）において、
Ｒ１およびＲ５は、それぞれ、水素原子またはメチル基であり、Ｒ１およびＲ５は同一でも異なっていてもよく、
Ｒ２、Ｒ３およびＲ４は、それぞれ、水素原子、炭素原子数１〜６のアルキル基またはヒドロキシアルキル基であり、Ｒ２、Ｒ３およびＲ４は同一でも異なっていてもよく、
ｐは、１〜１０の整数であり、
ｑは、１〜４の整数であり、
Ｒ６は、疎水基であり、
ｍおよびｎは、それぞれ、正の整数である。
【請求項２】
前記リン脂質化合物が、化学式（２）で表されるリン脂質化合物であることを特徴とする請求項１記載のインクジェット記録用水性インク。
【化２】
2011178860.tif 000007
【請求項３】
前記自己分散型顔料が、スルホン酸基により修飾された自己分散型顔料、カルボン酸基により修飾された自己分散型顔料およびリン酸基により修飾された自己分散型顔料からなる群から選択される少なくとも一つである請求項１または２記載のインクジェット記録用水性インク。
【請求項４】
前記自己分散型顔料が、スルホン酸基により修飾された自己分散型顔料である請求項１または２記載のインクジェット記録用水性インク。
【請求項５】
前記自己分散型顔料が、自己分散型カーボンブラックであることを特徴とする請求項１〜４のいずれか一項に記載のインクジェット記録用水性インク。
【請求項６】
インクジェット記録用水性インクを含むインクカートリッジであって、前記水性インクが、請求項１〜５のいずれか一項に記載のインクジェット記録用水性インクであることを特徴とするインクカートリッジ。
【発明の詳細な説明】
【技術分野】
【０００１】
本発明は、インクジェット記録用水性インクおよびインクカートリッジに関する。
【背景技術】
【０００２】
インクジェット記録用水性インクにおいて、自己分散型顔料が使用されることがある。前記自己分散型顔料は、高分子顔料分散剤を必要としないことから、水性インクの粘度上昇を防止でき、取り扱い性に優れる。また、自己分散型顔料は、顔料に、スルホン酸基、カルボン酸基またはリン酸基のような親水基またはその塩を少なくとも一種結合させるように処理をすることによって得ることができる（例えば、特許文献１参照）。
【先行技術文献】
【特許文献】
【０００３】
【特許文献１】特表２００８−５２４４００号公報
【発明の概要】
【発明が解決しようとする課題】
【０００４】
しかし、自己分散型顔料を用いた水性インクには、耐擦性が良好ではないという問題がある。
【０００５】
そこで、本発明は、自己分散型顔料を含む水性インクであって、耐擦性に優れるインクジェット記録用水性インクを提供することを目的とする。
【課題を解決するための手段】
【０００６】
前記目的を達成するために、本発明のインクジェット記録用水性インクは、着色剤、水および水溶性有機溶剤を含むインクジェット記録用水性インクであって、
前記着色剤が、自己分散型顔料を含み、
前記水性インクが、さらに、化学式（１）で表されるリン脂質化合物を含み、
前記リン脂質化合物の固形分配合量が、前記水性インク全量に対して、０．２重量％〜１．３重量％であることを特徴とする。
【化１】
2011178860.tif 000002
化学式（１）において、
Ｒ１およびＲ５は、それぞれ、水素原子またはメチル基であり、Ｒ１およびＲ５は同一でも異なっていてもよく、
Ｒ２、Ｒ３およびＲ４は、それぞれ、水素原子、炭素原子数１〜６のアルキル基またはヒドロキシアルキル基であり、Ｒ２、Ｒ３およびＲ４は同一でも異なっていてもよく、
ｐは、１〜１０の整数であり、
ｑは、１〜４の整数であり、
Ｒ６は、疎水基であり、
ｍおよびｎは、それぞれ、正の整数である。
【発明の効果】
【０００７】
前記目的を達成するために、本発明者等は、一連の研究を重ねたところ、自己分散型顔料を着色剤として用いた場合、さらに、前記所定量の化学式（１）で表されるリン脂質化合物を含ませれば、耐擦性に優れることを見出し本発明に想到した。
【図面の簡単な説明】
【０００８】
【図１】図１は、インクジェット記録装置の構成の一例を示す概略斜視図である。
【発明を実施するための形態】
【０００９】
本発明のインクジェット記録用水性インク（以下、単に「水性インク」または「インク」と言うことがある）について説明する。本発明の水性インクは、着色剤、水および水溶性有機溶剤を含む。前述のとおり、前記着色剤は、自己分散型顔料を含む。前記自己分散型顔料は、例えば、顔料粒子にスルホン酸基、カルボン酸基、リン酸基等の親水性官能基およびそれらの塩の少なくとも一種が、直接または他の基を介して化学結合により導入されていることによって、分散剤を使用しなくても水に分散可能なものである。本発明の水性インクは、自己分散型顔料を使用しているため、高分子顔料分散剤に起因する粘度上昇の問題が無く、かつ、取り扱い性に優れる。
【００１０】
前記自己分散型顔料は、スルホン酸基により修飾された自己分散型顔料（以下、「スルホン酸基修飾自己分散型顔料」と言うことがある）であることが好ましい。一般的に、スルホン酸基修飾自己分散型顔料を用いた水性インクは、耐擦性が良好でないことに加え、光学濃度（ＯＤ）値が低く、耐水性にも劣る。これに対し、後述のリン脂質化合物を含む本発明の水性インクは、スルホン酸基修飾自己分散型顔料を用いた場合においても、耐擦性に優れ、かつ、光学濃度（ＯＤ）値が高く、耐水性にも優れる。
【００１１】
前記自己分散型顔料は、例えば、特開平８−３４９８号公報、特表２０００−５１３３９６号公報、特表２００９−５１５００７号公報等に記載の方法によって処理された自己分散型顔料を用いることができる。前記自己分散型顔料の原料として用いることができる顔料としては、例えば、カーボンブラック、無機顔料および有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、これら以外の顔料として、例えば、Ｃ．Ｉ．ピグメントブラック１、６および７；Ｃ．Ｉ．ピグメントイエロー１、２、３、１２、１３、１４、１５、１６、１７、５５、７８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等もあげられる。特に、前記処理を行うのに適した顔料としては、例えば、三菱化学（株）製の「ＭＡ８」および「ＭＡ１００」、デグサ社製の「カラーブラックＦＷ２００」等のカーボンブラックがあげられる。
【００１２】
前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」および「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」および「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１３】
前記水性インク全量に対する前記自己分散型顔料の固形分配合量（顔料割合；顔料固形分量）は、特に限定されず、例えば、所望の光学濃度または色彩等により、適宜決定できる。前記顔料割合は、例えば、０．１重量％〜２０重量％であり、好ましくは、１重量％〜１０重量％であり、より好ましくは、２重量％〜８重量％である。
【００１４】
前記着色剤は、前記自己分散型顔料に加え、さらに他の顔料および染料等を含んでもよい。
【００１５】
前記水は、イオン交換水または純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１６】
前記水溶性有機溶剤としては、例えば、インクジェットヘッドのノズル先端部における水性インクの乾燥を防止する湿潤剤および記録媒体上での乾燥速度を調整する浸透剤があげられる。
【００１７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００１８】
前記水性インク全量に対する前記湿潤剤の配合量（湿潤剤割合）は、例えば、０重量％〜９５重量％であり、好ましくは、５重量％〜８０重量％であり、さらに好ましくは、５重量％〜５０重量％である。
【００１９】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよいし、２種類以上を併用してもよい。
【００２０】
前記水性インク全量に対する前記浸透剤の配合量（浸透剤割合）は、例えば、０重量％〜２０重量％である。前記浸透剤割合を前記範囲とすることで、前記水性インクの記録媒体への浸透性を、より好適なものとできる。前記浸透剤割合は、好ましくは、０．１重量％〜１５重量％であり、より好ましくは、０．５重量％〜１０重量％である。
【００２１】
前述のとおり、前記水性インクは、さらに、化学式（１）で表されるリン脂質化合物を含む。前記リン脂質化合物の固形分配合量（リン脂質化合物割合；リン脂質化合物固形分量）は、前記水性インク全量に対して、０．２重量％〜１．３重量％である。前記リン脂質化合物割合を０．２重量％以上とすることで、耐擦性に優れた水性インクを得ることができる。また、前記リン脂質化合物割合を１．３重量％以下とすることで、保存安定性に優れた水性インクを得ることができる。前記リン脂質化合物割合は、好ましくは、０．２５重量％〜１．０重量％である。
【００２２】
化学式（１）において、Ｒ１およびＲ５は、それぞれ、水素原子またはメチル基であり、Ｒ１およびＲ５は同一でも異なっていてもよい。
【００２３】
化学式（１）において、Ｒ２、Ｒ３およびＲ４は、それぞれ、水素原子、炭素原子数１〜６のアルキル基またはヒドロキシアルキル基であり、Ｒ２、Ｒ３およびＲ４は同一でも異なっていてもよい。炭素原子数１〜６のアルキル基またはヒドロキシアルキル基は、直鎖であってもよく、分岐鎖であってもよい。前記炭素原子数１〜６のアルキル基としては、例えば、メチル基、エチル基、プロピル基、ブチル基、ペンチル基、ヘキシル基等があげられる。前記炭素原子数１〜６のヒドロキシアルキル基としては、例えば、ヒドロキシメチル基、２−ヒドロキシエチル基、３−ヒドロキシプロピル基、２−ヒドロキシプロピル基、４−ヒドロキシブチル基、２−ヒドロキシブチル基、５−ヒドロキシペンチル基、２−ヒドロキシペンチル基、６−ヒドロキシヘキシル基、２−ヒドロキシヘキシル基等があげられる。
【００２４】
化学式（１）において、ｐは、１〜１０の整数であり、好ましくは、１〜５の整数であり、より好ましくは、２である。また、化学式（１）において、ｑは、１〜４の整数であり、好ましくは、２である。さらに、化学式（１）において、ｍおよびｎは、それぞれ、正の整数である。
【００２５】
化学式（１）において、Ｒ６は、疎水基である。前記疎水基としては、例えば、メチル基、エチル基、ブチル基、２−エチルヘキシル基、ラウリル基、ステアリル基、ベンジル基、フェノキシエチル基、シクロへキシル基、グリシジル基（エポキシ基）、２−ヒドロキシブチル基、４−ヒドロキシブチル基、アミノエチル基、ジメチルアミノメチル基等があげられる。
【００２６】
前記リン脂質化合物は、化学式（２）で表されるリン脂質化合物であることが好ましい。
【化２】
2011178860.tif 000003
【００２７】
化学式（２）で表されるリン脂質化合物は、化学式（１）において、Ｒ１、Ｒ２、Ｒ３、Ｒ４およびＲ５が、それぞれ、メチル基であり、ｐおよびｑが、それぞれ、２である態様である。化学式（２）において、Ｒ６は、化学式（１）におけるのと同様であり、ステアリル基であることが好ましい。
【００２８】
前記リン脂質化合物の重量平均分子量は、１，０００〜１，０００，０００であることが好ましい。この観点から、化学式（１）および化学式（２）において、ｍは、１〜６，０００であることが好ましく、ｎは、１〜１５，０００であることが好ましい。
【００２９】
前記リン脂質化合物は、例えば、市販品を用いてもよい。前記市販品としては、例えば、日油（株）製の「Ｌｉｐｉｄｕｒｅ（登録商標）−ＮＳ−ＰＷ」等があげられる。
【００３０】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤としては、例えば、ポリビニルアルコール、セルロース、水溶性樹脂等があげられる。
【００３１】
前記水性インクは、例えば、着色剤、水、水溶性有機溶剤および前記リン脂質化合物と、必要に応じて他の添加成分とを、従来公知の方法で均一に混合し、フィルタ等で不溶解物を除去することにより調製できる。
【００３２】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００３３】
本発明の水性インクを用いた記録は、例えば、つぎのようにして実施できる。本例の記録は、一般的なインクジェット記録装置を用いて実施する。一般的なインクジェット記録装置は、インク収容部およびインク吐出手段を含む。前記インクジェット記録装置のインク収容部に、本発明の水性インクを収容し、前記インク収容部に収容された本発明の水性インクを前記インク吐出手段によって吐出して記録を行う。すなわち、本発明によれば、インク収容部およびインク吐出手段を含み、前記インク収容部に収容されたインクを前記インク吐出手段によって吐出するインクジェット記録装置であって、前記インク収容部に、本発明の水性インクが収容されていることを特徴とするインクジェット記録装置が提供される。本発明の水性インクを用いた記録は、前記インクジェット記録装置のインク収容部に、本発明のインクカートリッジを収容し、本発明のインクカートリッジに含まれる本発明の水性インクを前記インク吐出手段によって吐出することで実施してもよい。前記記録は、印字、印画、印刷等を含む。
【００３４】
前述のとおり、本発明の水性インクは、前記リン脂質化合物割合が０．２重量％以上である。このため、前記記録により得られる記録物は、耐擦性に優れ、記録部分が擦られてもインク擦れを生じることが少ない。また、本発明の水性インクは、前記リン脂質化合物割合が１．３重量％以下であり、保存安定性に優れる。このため、前記記録において、吐出安定性が向上する。
【００３５】
また、本発明の水性インクが、スルホン酸基修飾自己分散型顔料を含む場合、耐擦性が優れることに加え、光学濃度（ＯＤ）値が高く、耐水性にも優れる。このため、前記記録により得られる記録物は、画像が鮮明であり、水で濡れても滲みを生じにくい。
【００３６】
図１に示すインクジェット記録装置を用いた場合を例にとり、本発明のインクジェット記録用水性インク（本発明のインクカートリッジ）を用いたインクジェット記録方法について説明する。図１に示すインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成部材として含む。
【００３７】
前記４つのインクカートリッジ２は、イエロー、マゼンタ、シアンおよびブラックの４色の水性インクを、それぞれ１色ずつ含む。例えば、前記水性ブラックインクを含むインクカートリッジが、本発明のインクカートリッジである。前記インクジェットヘッド３は、記録紙等の記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記駆動ユニット６としては、例えば、従来公知のものを使用できる（例えば、特開２００８−２４６８２１号公報参照）。前記プラテンローラ７は、前記キャリッジ５の往復方向に延び、前記インクジェットヘッド３と対向して配置されている。
【００３８】
前記記録媒体Ｐは、このインクジェット記録装置１の側方又は下方に設けられた給紙カセット（図示せず）から給紙される。前記記録媒体Ｐは、前記インクジェットヘッド３と、前記プラテンローラ７との間に導入される。すると、前記記録媒体Ｐに、前記インクジェットヘッド３から吐出されるインクにより所定の記録がなされる。前記記録媒体Ｐは、その後、前記インクジェット記録装置１から排紙される。図１においては、前記記録媒体Ｐの給紙機構及び排紙機構の図示を省略している。
【００３９】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【００４０】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、記録が終了すると前記リセット位置に戻される前記インクジェットヘッド３の複数のノズルを覆うものである。
【００４１】
前記インクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【００４２】
本例では、本発明の水性インク（本発明のインクカートリッジ）を、シリアル型インクジェット記録装置に適用した例を示したが、本発明の水性インク（本発明のインクカートリッジ）は、ライン型インクジェット記録装置に適用してもよい。
【００４３】
本発明によれば、インク吐出手段からインクを吐出して記録を行うインクジェット記録方法であって、前記インクとして、本発明のインクジェット記録用水性インクを用いることを特徴とするインクジェット記録方法が提供される。前記インクジェット記録方法は、例えば、図１に示すインクジェット記録装置を用いることで実施可能である。
【００４４】
また、本発明によれば、自己分散型顔料を含むインクジェット記録用水性インクを用いて記録した記録物の耐擦性向上方法であって、前記水性インクが、さらに、化学式（１）で表されるリン脂質化合物を含み、前記リン脂質化合物の固形分配合量が、前記水性インク全量に対して、０．２重量％〜１．３重量％であることを特徴とする記録物の耐擦性向上方法が提供される。
【００４５】
前記インクジェット記録方法および前記記録物の耐擦性向上方法において、着色剤、リン脂質化合物等の各種成分の種類、配合量および形態等は、本発明のインクジェット記録用水性インクと同様とすることができる。
【実施例】
【００４６】
つぎに、本発明の実施例について比較例と併せて説明する。なお、本発明は、下記の実施例および比較例により限定および制限されない。
【００４７】
［実施例１〜１０および比較例１〜６］
水性インク組成（表１）における、自己分散型カーボンブラック分散体を除く成分を、均一に混合しインク溶媒を得た。つぎに、自己分散型カーボンブラック分散体に前記インク溶媒を加え、均一に混合した。その後、得られた混合物を、東洋濾紙（株）製のセルロースアセテートタイプメンブレンフィルタ（孔径３．００μｍ）でろ過することで、実施例１〜１０および比較例１〜６のインクジェット記録用水性インクを得た。なお、表１において、Ｌｉｐｉｄｕｒｅ（登録商標）−ＣＦ７２は、化学式（３）で表されるカチオン性リン脂質化合物（日油（株）製）である。
【化３】
2011178860.tif 000004
【００４８】
実施例および比較例の水性インクについて、（ａ）保存安定性評価、（ｂ）耐擦性評価、（ｃ）耐水性評価および（ｄ）光学濃度（ＯＤ）値評価を、下記方法により評価および測定した。
【００４９】
（ａ）保存安定性評価
実施例および比較例の水性インク１０μＬを、プレパラート上に滴下した。ついで、前記プレパラートを、温度６０℃、相対湿度４０％の環境下にて１日保存することで、前記水性インクを蒸発乾固させた。つぎに、前記保存後の固形物上に純水を１ｍＬ滴下した。このようにして作製した評価サンプルに粗大粒子や異物が無いかを顕微鏡（倍率２００倍）にて観察し、下記評価基準に従って保存安定性を評価した。
【００５０】
保存安定性評価  評価基準
Ａ：純水の滴下で前記固形物がすぐに再分散（純水に溶解・分散）し、粗大粒子や異物は無かった
Ｂ：前記固形物の再分散には時間がかかったが、粗大粒子や異物は無かった
Ｃ：粗大粒子や異物があった
【００５１】
（ｂ）耐擦性評価
ブラザー工業（株）製のインクジェットプリンタ搭載デジタル複合機ＤＣＰ−３８５Ｃを使用して、実施例および比較例の水性インクを用いて光沢紙（ブラザー工業（株）製の専用紙  写真光沢紙ＢＰ７１ＧＡ４）上に解像度６００ｄｐｉ×６００ｄｐｉで黒単色パッチを含む画像を記録し評価サンプルを作製した。前記評価サンプルを、１Ｎの定荷重にて擦った。ついで、擦り部のインク擦れを、下記評価基準に従って目視評価した。
【００５２】
耐擦性評価  評価基準
Ａ：インク擦れは無かった
Ｂ：多少のインク擦れはあるものの実用上問題ないレベルであった
Ｃ：実用上問題となるレベルのインク擦れがあった
【００５３】
（ｃ）耐水性評価
ブラザー工業（株）製のインクジェットプリンタ搭載デジタル複合機ＤＣＰ−３８５Ｃを使用して、実施例および比較例の水性インクを用いて普通紙（Ｈａｍｍｅｒ  Ｍｉｌｌ社製のＬａｓｅｒ  Ｐｒｉｎｔ  ２４ｌｂ）上に解像度６００ｄｐｉ×６００ｄｐｉで黒単色パッチを含む画像を記録し評価サンプルを作製した。前記評価サンプルを、純水に３分間浸漬させた後、画像の滲みを、下記評価基準に従って目視評価した。
【００５４】
耐水性評価  評価基準
Ａ：滲みは無かった
Ｂ：多少の滲みはあるものの実用上問題ないレベルであった
Ｃ：実用上問題となるレベルの滲みがあった
【００５５】
（ｄ）光学濃度（ＯＤ）値評価
ブラザー工業（株）製のインクジェットプリンタ搭載デジタル複合機ＤＣＰ−３８５Ｃを使用して、実施例および比較例の水性インクを用いて普通紙上に解像度６００ｄｐｉ×６００ｄｐｉで黒単色パッチを含む画像を記録し評価サンプルを作製した。前記評価サンプルの光学濃度（ＯＤ）値を、Ｇｒｅｔａｇ  Ｍａｃｂｅｔｈ社製の分光測色計Ｓｐｅｃｔｒｏｌｉｎｏ（光源：Ｄ５０、視野角：２°、ＳＴＡＴＵＳ  Ｔ）により測定した。前記普通紙には、富士通コワーコ（株）製のオフィス用紙（普通紙１）、Ｈａｍｍｅｒ  Ｍｉｌｌ社製のＬａｓｅｒ  Ｐｒｉｎｔ  ２４ｌｂ（普通紙２）およびブラザー工業（株）製の専用紙  上質普通紙ＢＰ６０ＰＡ（普通紙３）を用いた。前記光学濃度（ＯＤ）値の測定は、各普通紙について３回行った。
【００５６】
実施例および比較例の水性インクのインク組成および評価結果を、表１に示す。なお、表１において、各普通紙の光学濃度（ＯＤ）値の測定結果は、３回の測定の平均値であり、「３紙平均」（最下段）は、前記普通紙１〜３のそれぞれの平均値（３回測定）の和を３で除した３紙の測定結果の平均値である。
【００５７】
【表１】
2011178860.tif 000005
【００５８】
表１に示すとおり、スルホン酸基修飾自己分散型カーボンブラックを含み、且つ、化学式（２）で表されるリン脂質化合物（Ｒ６は、ステアリル基）の固形分配合量が０．２０重量％である実施例２では、前記リン脂質化合物を含まないこと以外は同条件とした比較例１と比べて、耐擦性、耐水性に優れ、光学濃度（ＯＤ）値が高かった。また、前記リン脂質化合物の固形分配合量が１．３０重量％であること以外は実施例２と同条件とした実施例５では、前記リン脂質化合物を含まないこと以外は同条件である比較例１と比べて、保存安定性が若干低下するものの実用上問題となるレベルではなく、耐擦性、耐水性が格段に優れ、光学濃度（ＯＤ）値が高かった。さらに、前記リン脂質化合物の固形分配合量が０．２５重量％、０．５０重量％または１．００重量％であること以外は実施例２および５と同条件とした実施例３、１および４では、前記リン脂質化合物を含まないこと以外は同条件である比較例１と比べて、耐擦性、耐水性が格段に優れ、光学濃度（ＯＤ）値が高かった。同様に、実施例１の水溶性有機溶剤および添加剤の配合を変更した実施例６〜８でも、前記リン脂質化合物を含まない比較例１と比べて、耐擦性、耐水性が格段に優れ、光学濃度（ＯＤ）値が高かった。一方、スルホン酸基修飾自己分散型カーボンブラックを含み、且つ、化学式（２）で表されるリン脂質化合物（Ｒ６は、ステアリル基）の固形分配合量が０．０５重量％である比較例２では、耐擦性、耐水性および光学濃度（ＯＤ）値の評価結果が、前記リン脂質化合物を含まないこと以外は同条件である比較例１と同等であった。また、スルホン酸基修飾自己分散型カーボンブラックを含み、且つ、化学式（２）で表されるリン脂質化合物（Ｒ６は、ステアリル基）の固形分配合量が１．５０重量％である比較例３では、前記リン脂質化合物を含まないこと以外は同条件である比較例１と比べて、耐擦性、耐水性および光学濃度（ＯＤ）値には向上が見られるものの、保存安定性が劣っていた。
【００５９】
また、カルボン酸基により修飾された自己分散型カーボンブラックおよび化学式（２）で表されるリン脂質化合物（Ｒ６は、ステアリル基）を含む実施例９では、前記リン脂質化合物を含まないこと以外は同条件とした比較例４と比べて、耐擦性に優れていた。そして、リン酸基により修飾された自己分散型カーボンブラックおよび化学式（２）で表されるリン脂質化合物（Ｒ６は、ステアリル基）を含む実施例１０では、前記リン脂質化合物を含まないこと以外は同条件とした比較例５と比べて、耐擦性に優れていた。
【００６０】
なお、化学式（３）で表されるカチオン性リン脂質化合物を用いた比較例６では、水性インク中で凝集が生じ、耐擦性、耐水性および光学濃度（ＯＤ）値評価を行うことができなかった。これに対し、化合物中で電荷が打ち消され、全体としては電荷を持たない化学式（２）で表されるリン脂質化合物（Ｒ６は、ステアリル基）を用いた実施例１〜１０では、水性インク中で凝集を生じることはなく、保存安定性に優れていた。
【産業上の利用可能性】
【００６１】
以上のように、本発明の水性インクは、耐擦性に優れるものである。本発明の水性インクの用途は、特に限定されず、各種のインクジェット記録に広く適用可能である。
【符号の説明】
【００６２】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2011178860.tif 000009